(57)【特許請求の範囲】
【請求項１】
矩形状に形成され、操作者により接触操作をされるタッチ面（１６）を有するタッチパネル（１０）と、
前記接触操作に応じて、前記タッチ面に沿った振動方向（ＤＢ）に前記タッチパネルを振動させるアクチュエータ（４０）と、
前記タッチパネルが内部に配置される矩形状の開口（５２）を有し、前記アクチュエータを保持する保持ケース（５０）と、
前記開口及び前記タッチパネルに接続され、前記開口と前記タッチパネルとの間の隙間を覆い弾性変形するシール部材（６０，２６０，３６０）とを備え、
前記シール部材において、前記タッチパネルの前記振動方向に沿った第１辺（１８ａ，１８ｂ）に対応する第１部位（６２ａ，６２ｂ，２６２ａ，２６２ｂ，３６２ａ，３６２ｂ）での厚さ（Ｔ１Ａ，Ｔ１Ｂ）は、前記タッチパネルの前記振動方向に交差する第２辺（１９ａ，１９ｂ）に対応する第２部位（６４ａ，６４ｂ，２６４ａ，２６４ｂ，３６４ａ，３６４ｂ）での厚さ（Ｔ２Ａ，Ｔ２Ｂ）よりも小さいことを特徴とするタッチパネル装置。
【請求項２】
対向する一対の前記第２部位での各厚さは、等しいことを特徴とする請求項１に記載のタッチパネル装置。
【請求項３】
前記シール部材（６０）は、前記第１部位（６２ａ，６２ｂ）と前記第２部位（６４ａ，６４ｂ）との間において、前記タッチパネルのコーナーに対応するコーナー部位（６６）を有し、
前記コーナー部位において、前記シール部材の厚さ（ＴＣ）は、前記第１部位から前記第２部位に向かって漸次増加することを特徴とする請求項１又は２に記載のタッチパネル装置。
【請求項４】
前記シール部材（２６０，３６０）は、
各箇所において所定厚さ（ＴＰ１）をなし、前記第１部位（２６２ａ，２６２ｂ，３６２ａ，３６２ｂ）を形成する第１ピース（２６０ａ，３６０ａ）と、
前記第１ピースと貼り合わせることにより、前記第１ピースと共同して前記第２部位（２６４ａ，２６４ｂ，３６４ａ，３６４ｂ）を形成する第２ピース（２６０ｂ，２６０ｂ）とを有することを特徴とする請求項１から３のいずれか１項に記載のタッチパネル装置。
【請求項５】
前記タッチパネルは、前記タッチ面側において画像を表示可能であり、
前記シール部材（３６０）は、前記タッチ面を覆う透光性材料により形成されることを特徴とする請求項１から４のいずれか１項に記載のタッチパネル装置。
【請求項６】
前記シール部材（３６０）において、前記第２部位（３６４ａ，３６４ｂ）に蛇腹構造（３６５）が設けられることを特徴とする請求項１から５のいずれか１項に記載のタッチパネル装置。
【発明の詳細な説明】
【技術分野】
【０００１】
本発明は、操作者により接触操作をされるタッチパネル装置に関する。
【背景技術】
【０００２】
従来、操作者により接触操作をされるタッチパネル装置が知られている。特許文献１に開示のタッチパネル装置は、矩形状に形成され、操作者に接触操作をされるタッチ面を有するタッチパネル、接触操作に応じて、タッチ面に沿った振動方向にタッチパネルを振動させるアクチュエータ、矩形状の開口を有し、アクチュエータを保持する保持ケース、及び保持ケースとタッチパネルの隙間を覆うシール部材を備えている。そして、保持ケースにおいて、振動方向に直交するようにタッチパネルを支持する支持用凸部が配置されている。タッチパネルが振動方向に移動しようとする際には、支持用凸部が弾性変形し、それ以外の方向に移動しようとする際には、タッチパネルと支持用凸部と間の摩擦力によって移動が制限される。すなわち、支持用凸部をタッチパネルに追従して変形させることで、ブレの少ない安定した振動を出力することが可能となる。
【先行技術文献】
【特許文献】
【０００３】
【特許文献１】特開２０１１−９０４２４号公報
【発明の概要】
【発明が解決しようとする課題】
【０００４】
しかしながら、特許文献１に開示のタッチパネル装置は、例えば衝撃等の外力により、一度支持用凸部とタッチパネルとの位置関係が一旦ずれてしまうと、本来の位置に復元するようになっていない。したがって、開口に対するタッチパネルの位置ずれにより、開口とタッチパネルとの隙間を維持できず、異音が発生することが懸念されている。
【０００５】
本発明は、以上説明した問題に鑑みてなされたものであって、その目的は、安定した振動、及び異音の抑制を両立するタッチパネル装置を提供することにある。
【課題を解決するための手段】
【０００６】
本発明は、矩形状に形成され、操作者により接触操作をされるタッチ面（１６）を有するタッチパネル（１０）と、接触操作に応じて、タッチ面に沿った振動方向（ＤＢ）にタッチパネルを振動させるアクチュエータ（４０）と、タッチパネルが内部に配置される矩形状の開口（５２）を有し、アクチュエータを保持する保持ケース（５０）と、開口及びタッチパネルに接続され、開口とタッチパネルとの間の隙間を覆い弾性変形するシール部材（６０，２６０，３６０）とを備え、シール部材において、タッチパネルの振動方向に沿った第１辺（１８ａ，１８ｂ）に対応する第１部位（６２ａ，６２ｂ，２６２ａ，２６２ｂ，３６２ａ，３６２ｂ）での厚さ（Ｔ１Ａ，Ｔ１Ｂ）は、タッチパネルの振動方向に交差する第２辺（１９ａ，１９ｂ）に対応する第２部位（６４ａ，６４ｂ，２６４ａ，２６４ｂ，３６４ａ，３６４ｂ）での厚さ（Ｔ２Ａ，Ｔ２Ｂ）よりも小さいことを特徴とする。
【０００７】
このような発明によると、操作者の接触操作に応じて、アクチュエータがタッチ面に沿った振動方向にタッチパネルを振動させる。これによれば、振動方向がタッチ面に沿っているので、タッチパネルの剛性を利用して、応答の遅れ、及びタッチ面の任意の箇所における振動ムラを抑制することができる。また、アクチュエータを保持する保持ケースの開口は、矩形状であり、タッチパネルが内部に配置される。そして、開口とタッチパネルとの間の隙間は、それら開口及びタッチパネルに接続され、弾性変形するシール部材に覆われる。これによれば、タッチパネルが振動する際、シール部材が弾性変形することで、振動の減衰を制御し、またシール部材においては、装置内部に塵や水等が侵入することを防止する。ここで、シール部材の厚さは、振動方向に交差する第２辺に対応する第２部位の厚さよりも、振動方向に沿った第１辺に対応する第１部位の厚さの方が小さくなっている。第１部位においては、振動の際に、シール部材のねじれによる弾性復元力が小さくなるので、振動を阻害することが抑制される。第２部位においては、振動の際に、弾性復元力を及ぼすことで、振動を減衰させながら、タッチパネルが本来の位置に復元される。すなわち、開口とタッチパネルとの隙間を維持することで、異音が抑制される。以上により、安定した振動、及び異音の抑制を両立するタッチパネル装置を提供することができる。
【０００８】
なお、括弧内の符号は、記載内容の理解を容易にすべく、後述する実施形態において対応する構成を例示するものに留まり、発明の内容を限定するものではない。
【図面の簡単な説明】
【０００９】
【図１】第１実施形態におけるタッチパネル装置を模式的に示す斜視図である。
【図２】図１のII−II線断面を模式的に示す断面図である。
【図３】図１のIII−III線断面を模式的に示す断面図である。
【図４】第１実施形態におけるシール部材を示す斜視図である。
【図５】第１実施形態におけるレール構造を説明するための図であって、図１のV−V線断面を模式的に示す図である。
【図６】第２実施形態におけるシール部材を模式的に示す斜視図である。
【図７】第２実施形態における図２に対応する図である。
【図８】第３実施形態におけるタッチパネル装置を模式的に示す斜視図である。
【図９】図８のIX−IX線断面を模式的に示す断面図である。
【発明を実施するための形態】
【００１０】
以下、本発明の複数の実施形態を図面に基づいて説明する。なお、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１１】
（第１実施形態）
図１に示す本発明の第１実施形態によるタッチパネル装置１００は、車両（図示しない）に搭載されている。車両の乗員としての操作者は、タッチ面１６に例えば指を接触させることで、接触操作することが可能となっている。例えば、指タッチ、指スライド等の接触操作入力により、タッチパネル装置１００は、操作者が要求する車両情報をお知らせするようになっている。このとき、指タッチ、指スライド等の接触操作に応じて、タッチパネル１０が振動し、操作者に触覚フィードバックを行なう。特に、車両に搭載されるタッチパネル装置１００においては、操作者による運転操作の一環としてタッチパネル装置が接触操作されることも想定されるため、違和感の少ない触覚フィードバックが要求される。図１に示すタッチパネル装置１００は、タッチパネル１０、表示パネル２０、ブラケット３０、アクチュエータ４０、保持ケース５０、シール部材６０、レール構造７０等を備えている。
【００１２】
タッチパネル１０は、図１〜３に示すように、板材１２にカバーフィルム１４が貼り付けられて形成されている。板材１２は、板状に形成され、例えば板厚２〜３ｍｍ程度の透光性を有するアクリル製板材が採用されている。カバーフィルム１４は、例えば厚さ０．５ｍｍ程度の透光性を有する薄肉のフィルムであり、板材１２の片面に貼り付けられている。タッチパネル１０において、カバーフィルム１４が貼り付けられている側は、矩形状のタッチ面１６を形成しており、操作者により接触操作されるようになっている。詳細は図示しないが、カバーフィルム１４には電極が複数設けられており、操作者の接触操作に応じて生ずる電極間の静電容量の変化をもとに、接触操作されたタッチ面１６上の位置を検出する。このようにして、タッチパネル１０は、位置の検出信号を制御部（図示しない）に出力するようになっている。なお、タッチパネル１０は、静電容量による方式以外の、例えば抵抗膜方式により接触操作を検出するようにしてもよい。
【００１３】
以上の構成により、タッチパネル１０は、板厚方向の剛性に対して、タッチ面１６に沿った方向の剛性の方が高くなっている。
【００１４】
表示パネル２０は、図２，３に示すように、タッチ面１６とは反対側に配置され、画像を表示することが可能な液晶パネルである。具体的には、表示パネル２０は、例えばＴＦＴ液晶パネルであり、詳細は図示しないが、２次元方向に複数の液晶画素が配列されている。表示パネル２０は、制御部からの信号により各液晶画素が制御されて、バックライトからの光を利用して画像を形成することが可能となっている。画像として、詳細は図示しないが、操作者が必要とする車両情報や車両操作を得るための操作ボタン、車両情報表示等が形成される。表示パネル２０により形成された画像は、表示エリア６を通じて、透光性のタッチパネル１０によりタッチ面１６側に表示されることで、操作者は、当該画像を視認可能となる。
【００１５】
なお、液晶パネルの代わりに、有機ＥＬ方式の表示パネルを採用してもよい。また、表示パネルが、タッチパネルと一体的に形成されるものであってもよい。
【００１６】
ブラケット３０は、図２に示すように、合成樹脂により三角ブロック状に形成されている。ブラケット３０は、タッチパネル１０においてタッチ面１６とは反対側の面１７に接着され、また、アクチュエータ４０と接着されている。
【００１７】
アクチュエータ４０は、図２に示すように、ピエゾ素子（図示しない）を中心に形成され、接触操作に応じて、タッチ面１６に沿った振動方向ＤＢにタッチパネル１０を振動させる振動子である。アクチュエータ４０は、振動方向ＤＢの一方をブラケット３０と接着され、他方を保持ケース５０に接着されている。
【００１８】
ピエゾ素子は、振動を発生させる圧電素子である。すなわち、操作者によりタッチ面１６が接触操作をされて制御部に位置の検出信号が入力されると、制御部からアクチュエータ４０に振動信号が入力される。振動信号が入力されるピエゾ素子は、振動方向ＤＢに変形し、振動方向ＤＢに振動することとなる。
【００１９】
アクチュエータ４０は、例えば、操作者による接触操作に合わせて異なる周波数又は波形で振動するようになっている。そして、アクチュエータ４０の振動は、ブラケット３０を介してタッチパネル１０を振動させる。このような振動が実際のボタンを接触操作した場合の触覚を疑似的に再現することで、操作者への違和感が軽減されると考えられている。
【００２０】
なお、アクチュエータ４０は、保持ケース５０に直接振動が伝わらないような工夫があることが好ましい。この例として、保持ケース５０との間に主としてラトル振動を吸収するクッション材を採用してもよい。
【００２１】
保持ケース５０は、図１〜３に示すように、合成樹脂により形成され、表示パネル２０等を収容し、アクチュエータ４０を保持している。また、保持ケース５０は、タッチパネル１０よりも大きな矩形状に形成されている開口５２を有している。このように、保持ケース５０には、外側に露出する外面５４と、内側においてアクチュエータ４０を保持する内面５６が形成されている。そして、開口５２の内部にタッチパネル１０が配置される。
【００２２】
シール部材６０は、図１〜４に示すように、例えば合成ゴム等のエストラマーにより、中央が空いた環状に形成されている。シール部材６０は、外周縁部６１ａを開口５２における内面５６側に接続され、内周縁部６１ｂをタッチパネル１０においてタッチ面１６とは反対側の面１７に接続されている。特に第１実施形態では、シール部材６０は、外周縁部６１ａ及び内周縁部６１ｂにおける接続箇所では、適度なテンションをかけた状態で接着剤により各面１７，５６に接続されている。そして、シール部材６０は、開口５２とタッチパネル１０との間の隙間を覆い、この隙間に対応する箇所では、保持ケース５０の内部側に湾曲して余裕を持たせている。このような構成のシール部材６０は、弾性変形するようになっている。なお、第１実施形態のシール部材６０は、１つのピースにより形成されている。
【００２３】
ここで、矩形状のタッチパネル１０において、開口５２と対向する４辺のうち、振動方向ＤＢに沿った辺を第１辺１８ａ，１８ｂ、また、振動方向ＤＢに交差する辺を第２辺１９ａ，１９ｂとする。第１辺１８ａ〜ｂは、対向して一対設けられ、また、第２辺１９ａ〜ｂも、対向して一対設けられている。特に本実施形態では、第１辺１８ａ〜ｂは、振動方向ＤＢと平行に配置され、また、第２辺１９ａ〜ｂは、振動方向ＤＢと垂直に配置されている。また、特に本実施形態では、矩形状のタッチパネル１０において、第１辺１８ａ〜ｂに沿った長さＬ１が第２辺１９ａ〜ｂに沿った長さＬ２より大きくなっている。
【００２４】
そして、シール部材６０において、第１辺１８ａ〜ｂに対応する箇所を第１部位６２ａ，６２ｂとし、第２辺１９ａ〜ｂに対応する箇所を第２部位６４ａ，６４ｂとする。ここで、第１辺１８ａ〜ｂに対応する箇所とは、シール部材６０のうち、開口５２とタッチパネル１０の第１辺１８ａ又は１８ｂとの間の隙間を覆う箇所である。同様に、第２辺１９ａ〜ｂに対応する箇所とは、シール部材６０のうち、開口５２とタッチパネル１０の第２辺１９ａ又は１９ｂとの間の隙間を覆う箇所である。また、シール部材６０は、第１部位６２ａ，６２ｂと第２部位６４ａ，６４ｂとの間において、タッチパネル１０のコーナーに対応するコーナー部位６６を４箇所に有する。
【００２５】
シール部材６０において、一方の第１部位６２ａでの厚さをＴ１Ａ、他方の第１部位６２ｂでの厚さをＴ１Ｂ、一方の第２部位６４ａでの厚さをＴ２Ａ、他方の第２部位６４ｂでの厚さをＴ２Ｂとする。第１部位６２ａでの厚さＴ１Ａは、第２部位６４ａ〜ｂでの厚さＴ２Ａ，Ｔ２Ｂよりも小さくなっている。また、第１部位６２ｂでの厚さＴ１Ｂは、第２部位６４ａ〜ｂでの厚さＴ２Ａ，Ｔ２Ｂよりも小さくなっている。特に本実施形態では、対向する一対の各厚さＴ２Ａ，Ｔ２Ｂは、実質等しくなっている。また、対向する一対の各厚さＴ１Ａ，Ｔ１Ｂも、実質等しくなっている。
【００２６】
具体値として、特にエストラマーのシール部材６０である第１実施形態では、Ｔ１Ａ，Ｔ１Ｂは０．１〜０．２ｍｍ、Ｔ２Ａ，Ｔ２Ｂは０．５〜０．６ｍｍ程度に設定されることが好ましい。
【００２７】
このような厚さＴ２Ａ，Ｔ２Ｂの設定により、アクチュエータ４０が振動していない状態においては、タッチパネル１０は、本来の位置としてのつり合いの位置に保持される。より詳細には、各第２部位６４ａ〜ｂは、振動方向ＤＢに沿った弾性復元力を開口５２と第２辺１９ａ〜ｂとの距離Ｄ２Ａ，Ｄ２Ｂに応じてタッチパネル１０に及ぼす。ここで、実質等しい厚さＴ２Ａ，Ｔ２Ｂの設定により、各第２部位６４ａ〜ｂの弾性復元力は同程度の大きさとなるので、タッチパネル１０は、開口５２とタッチパネル１０の第２部位６４ａ〜ｂとの隙間が同程度となるつり合いの位置に保持されることとなる。すなわち、距離Ｄ２Ａ，Ｄ２Ｂ同士が同程度に保たれ、美しい見栄えとなる。
【００２８】
また、図４に示すように、各コーナー部位６６において、シール部材６０の厚さＴＣは、第１部位６２ａ〜ｂから第２部位６４ａ〜ｂに向かって漸次増加している。環状のシール部材６０の周方向に沿って、厚さＴＣが漸次変化している。特に第１実施形態では、第１部位６２ａ〜ｂからコーナー部位６６、第２部位６４ａ〜ｂに亘って厚さが滑らかに変化している。
【００２９】
レール構造７０は、図３，５に示すように、振動を阻害しないようにタッチパネル１０を保持する構造である。レール構造７０は、タッチパネル１０においてタッチ面１６とは反対側の面１７のシール部材６０の接続箇所と、保持ケース５０との間の内部空間に、表示エリア６を避けて一対設置されている。各レール構造７０は、振動方向ＤＢ及び第１辺１８ａ〜ｂに沿って配置されている。各レール構造７０は、内面５６と接続されている棒状の雄レール７２と、タッチパネル１０のタッチ面１６とは反対側の面１７にシール部材６０を介して接続されている雌レール７４とを有している。雄レール７２と雌レール７４とは、長手方向である振動方向ＤＢにスライド可能に互いに嵌合されている。ここで、スライド時の摩擦を軽減するため、雄レール７２と雌レール７４との嵌合箇所において、グリス等の潤滑剤が注入されていてもよい。
【００３０】
（作用効果）
以上説明した第１実施形態の作用効果を以下に説明する。
【００３１】
第１実施形態によると、操作者の接触操作に応じて、アクチュエータ４０がタッチ面１６に沿った振動方向にタッチパネル１０を振動させる。これによれば、振動方向ＤＢがタッチ面１６に沿っているので、タッチパネル１０の剛性を利用して、応答の遅れ、及びタッチ面１６の任意の箇所における振動ムラを抑制することができる。また、アクチュエータ４０を保持する保持ケース５０の開口５２は、矩形状であり、タッチパネル１０が内部に配置される。そして、開口５２とタッチパネル１０との間の隙間は、それら開口５２及びタッチパネル１０に接続され、弾性変形するシール部材６０に覆われる。これによれば、タッチパネル１０が振動する際、シール部材６０が弾性変形することで、振動の減衰を制御し、またシール部材６０は、装置１００内部に塵や水等が侵入することを防止する。ここで、シール部材６０の厚さにおいては、振動方向ＤＢに交差する第２辺１９ａ〜ｂに対応する第２部位６４ａ〜ｂの厚さＴ２Ａ，Ｔ２Ｂよりも、振動方向ＤＢに沿った第１辺１８ａ〜ｂに対応する第１部位６２ａ〜ｂの厚さＴ１Ａ，Ｔ１Ｂの方が小さくなっている。第１部位６２ａ〜ｂにおいては、振動の際に、シール部材６０のねじれによる弾性復元力が小さくなるので、振動を阻害することが抑制される。第２部位６４ａ〜ｂにおいては、振動の際に、弾性復元力を及ぼすことで、振動を減衰させながら、タッチパネル１０が本来の位置に復元される。すなわち、開口５２とタッチパネル１０との隙間を維持することで、異音が抑制される。以上により、安定した振動、及び異音の抑制を両立するタッチパネル装置１００を提供することができる。
【００３２】
また、第１実施形態によると、対向する一対の第２部位６４ａ〜ｂでの各厚さＴ２Ａ，Ｔ２Ｂは、等しい。厚さＴ２Ａ，Ｔ２Ｂが等しい一対の第２部位６４ａ〜ｂによれば、弾性復元力の差が小さくなり、各第２辺１９ａ〜ｂと開口５２との隙間を同程度に維持することができる。したがって、異音の抑制の効果を高めることができる。
【００３３】
また、第１実施形態によると、シール部材６０は、第１部位６２ａ〜ｂと第２部位６４ａ〜ｂとの間において、タッチパネル１０のコーナーに対応するコーナー部位６６を有し、コーナー部位６６において、シール部材６０の厚さＴＣは、第１部位６２ａ〜ｂから第２部位６４ａ〜ｂに向かって漸次増加する。これによれば、タッチパネル１０が振動する際、厚さの変化箇所において、局所的に力が集中して、シール部材６０が破損することを抑制することができる。
【００３４】
（第２実施形態）
図６，７に示すように、本発明の第２実施形態は第１実施形態の変形例である。
【００３５】
第２実施形態のタッチパネル装置２００において、シール部材２６０は、第１ピース２６０ａ及び第２ピース２６０ｂを有している。第１ピース２６０ａは、合成ゴム等のエストラマーにより、環状に形成されている。また、第１ピース２６０ａは、各箇所において所定厚さＴＰ１をなしている。具体的には、第１ピース２６０ａの厚さＴＰ１は、シール部材２６０の第１部位２６２ａ〜ｂの厚さＴ１Ａ，Ｔ１Ｂに合わせて設定されている。
【００３６】
第２ピース２６０ｂは、合成ゴム等のエストラマーにより、２つ形成されている。各第２ピース２６０ｂは、接着剤により第１ピース２６０ａと貼り合わされる。
【００３７】
そして、第１ピース２６０ａと第２ピース２６０ｂとが貼り合わされた状態にて、第１ピース２６０ａが第１部位２６２ａ〜ｂを形成し、また、第１ピース２６０ａと第２ピース２６０ｂとが共同して第２部位２６４ａ〜ｂを形成する。例えば、第１ピース２６０ａの第２ピース２６０ｂと張り合わされた側と反対側において、外周縁部６１ａが開口５２における内面５６側に接続され、内周縁部６１ｂがタッチパネル１０においてタッチ面１６とは反対側の面１７に接続されている。
【００３８】
このような貼り合わせにより、第１部位２６２ａ〜ｂでの厚さＴ１Ａ，Ｔ２Ａは、第１ピース２６０ａの厚さＴＰ１となり、第２部位２６４ａ〜ｂでの厚さＴ２Ａ，Ｔ２Ｂは、第１ピース２６０ａの厚さＴＰ１と第２ピース２６０ｂの厚さＴＰ２の和となる。
【００３９】
以上説明した第２実施形態においても、シール部材２６０において、第１部位２６２ａ〜ｂでの厚さＴ１Ａ，Ｔ１Ｂは、第２部位２６４ａ〜ｂでの厚さＴ２Ａ，Ｔ２Ｂよりも小さい。したがって、第１実施形態に準じた作用効果を奏することが可能となる。
【００４０】
また、第２実施形態によると、シール部材２６０は、各箇所において所定厚さＴＰ１をなし、第１部位２６２ａ〜ｂを形成する第１ピース２６０ａと、第１ピース２６０ａと貼り合わせることにより、第１ピース２６０ａと共同して第２部位２６４ａ〜ｂを形成する第２ピース２６０ｂとを有する。これによれば、箇所により厚さが異なるシール部材２６０を、容易に製造することができる。
【００４１】
（第３実施形態）
図８，９に示すように、本発明の第３実施形態は第１実施形態の変形例である。
【００４２】
第３実施形態のシール部材３６０は、ポリエチレンテレフタレート等の合成樹脂からなる透光性材料により、平板膜状に形成されている。シール部材３６０は、第２実施形態と同様に、第１ピース３６０ａ及び第２ピース３６０ｂを有している。
【００４３】
第１ピース３６０ａは、ポリエチレンテレフタレート等の合成樹脂からなる透光性材料により、各箇所において所定厚さＴＰ１をなす平板膜状に形成されている。具体的には、第１ピース３６０ａの厚さＴＰ１は、シール部材３６０の第１部位３６２ａ〜ｂの厚さに合わせて設定されている。
【００４４】
第２ピース３６０ｂは、ポリエチレンテレフタレート等の合成樹脂からなる透光性材料により、２つ形成されている。各第２ピース３６０ｂは、それぞれ、接着剤により、第１ピース３６０ａの外周側の所定箇所に張り合わされる。
【００４５】
そして、シール部材３６０は、第１ピース３６０ａと第２ピース３６０ｂとが貼り合わされた状態にて、タッチパネル１０にタッチ面１６側から接着され、外周縁部６１ａは開口５２において外面５４側に接着される。このようにして、シール部材３６０は、タッチ面１６を覆うと共に、開口５２及びタッチパネル１０に接続され、開口５２とタッチパネル１０との間の隙間を覆う。
【００４６】
当該配置において、第１ピース３６０ａが第１部位３６２ａ〜ｂを形成し、また、第１ピース３６０ａと第２ピース３６０ｂとが共同して第２部位３６４ａ〜ｂを形成する。第２実施形態と同様に、第１部位３６２ａ〜ｂでの厚さＴ１Ａ，Ｔ２Ａは、第１ピース３６０ａの厚さＴＰ１となり、第２部位３６４ａ〜ｂでの厚さＴ２Ａ，Ｔ２Ｂは、第１ピース３６０ａの厚さＴＰ１と第２ピース３６０ｂの厚さＴＰ２の和となる。
【００４７】
また、第１ピース３６０ａは、シール部材３６０において、タッチパネル１０のタッチ面１６を保護する保護部位３６８を形成する。保護部位３６８により、平板膜状のシール部材３６０はタッチ面１６を覆う。
【００４８】
加えて、第３実施形態のシール部材３６０において、各第２部位３６４ａ〜ｂには、蛇腹構造３６５が設けられている。具体的には、各第２部位３６４ａ〜ｂにおいて、第２辺１９ａ〜ｂに沿ってシール部材３６０が、折り紙のように、山折りと谷折りを繰り返すことで、第２辺１９ａ〜ｂと交差する振動方向ＤＢに伸縮するようになっている。
【００４９】
以上説明した第３実施形態においても、シール部材３６０において、第１部位３６２ａ〜ｂでの厚さＴ１Ａ，Ｔ１Ｂは、第２部位３６４ａ〜ｂでの厚さＴ２Ａ，Ｔ２Ｂよりも小さい。したがって、第１実施形態に準じた作用効果を奏することが可能となる。
【００５０】
また、第３実施形態によると、タッチパネル１０は、タッチ面１６側において画像を表示可能であり、シール部材３６０は、タッチ面１６を覆う透光性材料により形成される。これによれば、シール部材３６０により画像が表示されるタッチパネル１０のタッチ面１６を保護すると共に、安定した振動、及び異音の抑制を両立するタッチパネル装置３００を提供することができる。
【００５１】
また、第３実施形態によると、シール部材３６０において、第２部位３６４ａ〜ｂに蛇腹構造３６５が設けられる。この蛇腹構造３６５によりシール部材３６０が振動方向ＤＢに伸縮しやすくなるため、振動を安定させることができる。
【００５２】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【００５３】
具体的に、第１〜第３実施形態に関する変形例１としては、対向する一対の第２部位６４ａ〜ｂでの各厚さＴ２Ａ，Ｔ２Ｂは、異なっていてもよい。この場合、対向する一対の第２部位６４ａ〜ｂでの各厚さＴ２Ａ，Ｔ２Ｂの差は、第１部位６２ａ〜ｂでの厚さＴ１Ａ，Ｔ１Ｂと第２部位６４ａ〜ｂでの厚さＴ２Ａ，Ｔ２Ｂでの厚さとの差よりも小さい方が好ましい。
【００５４】
第１〜第３実施形態に関する変形例２としては、シール部材６０の開口５２及びタッチパネル１０への接続は、接着以外のネジ止め、嵌め込み、熱圧着、一体成型等の方法を用いることができる。
【００５５】
第１〜第３実施形態に関する変形例３としては、レール構造７０は、第１実施形態以外の構造を適用することができる。
【００５６】
第１〜第３実施形態に関する変形例４としては、タッチパネル１０は、タッチ面１６側において画像を表示するものでなくてもよい。
【００５７】
第１〜第３実施形態に関する変形例５としては、アクチュエータ４０は、タッチ面１６に沿った振動方向ＤＢにタッチパネル１０を振動させるものであれば、偏心モータ等を利用したものであってもよい。
【００５８】
第３実施形態に関する変形例６としては、シール部材３６０は、環状に形成され、タッチ面１６を露出させるものであってもよい。
【符号の説明】
【００５９】
１００，２００，３００  タッチパネル装置、１０  タッチパネル、１６  タッチ面、１８ａ，１８ｂ  第１辺、１９ａ，１９ｂ  第２辺、４０  アクチュエータ、５０  保持ケース、５２  開口、６０，２６０，３６０  シール部材、２６０ａ，３６０ａ  第１ピース、２６０ｂ，３６０ｂ  第２ピース、６２ａ〜ｂ，２６２ａ〜ｂ，３６２ａ〜ｂ  第１部位、６４ａ〜ｂ，２６４ａ〜ｂ，３６４ａ〜ｂ  第２部位、３６５  蛇腹構造、６６  コーナー部位、ＤＢ  振動方向、Ｔ１Ａ，Ｔ１Ｂ，Ｔ２Ａ，Ｔ２Ｂ，ＴＣ，ＴＰ１  厚さ
【図１】
0006277891.tif 000002
【図２】
0006277891.tif 000003
【図３】
0006277891.tif 000004
【図４】
0006277891.tif 000005
【図５】
0006277891.tif 000006
【図６】
0006277891.tif 000007
【図７】
0006277891.tif 000008
【図８】
0006277891.tif 000009
【図９】
0006277891.tif 000010